(57)【要約】【課題】  運転中にタンクが満水になって運転を停止したときに、吹出口から異物や埃が侵入することを防ぐ。【解決手段】  ルーバをスイングさせながら運転しているとき、タンクの満水が検知されると、送風機、圧縮機等のルーバモータ以外の運転を停止する。ルーバモータを駆動して、ルーバが吹出口を閉じる閉位置になるように回動する。吹出口が閉じられると、ルーバモータを停止する。タンクから排水し終わると、運転停止前の運転モードで運転を再開する。【選択図】  図５
2005238056.tif 000002
【特許請求の範囲】
【請求項１】
吸い込んだ空気中の水分を蒸発器で凝縮し、結露した水を回収するタンクと、乾燥した空気を吹き出す吹出口と、該吹出口を開位置と閉位置との間で開閉自在に風向きを調節するルーバと、前記タンクが満水になったことを検出する満水検出器とを備え、前記タンクの満水が検知されたとき、除湿運転を停止し、強制的に前記ルーバを閉位置にする制御装置を備えたことを特徴とする除湿機。
【請求項２】
制御装置は、満水検知時にルーバが停止状態にあるとき、前記ルーバを作動させて閉位置にすることを特徴とする請求項１記載の除湿機。
【請求項３】
制御装置は、タンクの水が排出されたとき、ルーバを運転停止前の状態に復帰させることを特徴とする請求項１または２記載の除湿機。
【請求項４】
制御装置は、タンクの水が排出されたとき、運転停止前の運転モードを実行することを特徴とする請求項１または２記載の除湿機。
【請求項５】
ルーバをスイングさせるスイングモードと、ルーバを任意の位置に固定した固定モードとが選択可能とされ、制御装置は、運転停止前にスイングモードであったとき、前記ルーバをスイングさせ、固定モードであったとき、前記ルーバを元の位置に戻すことを特徴とする請求項３または４記載の除湿機。
【請求項６】
吸い込んだ空気中の水分を蒸発器で凝縮し、結露した水を回収するタンクと、乾燥した空気を吹き出す吹出口と、該吹出口を開位置と閉位置との間で開閉自在に風向きを調節するルーバと、前記タンクが満水になったことを検出する満水検出器とを備え、前記タンクの満水が検知されたとき、前記吹出口を閉じて運転を停止する閉鎖手段を備えたことを特徴とする除湿機。
【発明の詳細な説明】
【技術分野】
【０００１】
本発明は、除湿された空気を吹き出す吹出口に、風向きを自動的に調節可能なルーバが設けられた除湿機に関する。
【背景技術】
【０００２】
従来の除湿機は、例えば特許文献１に記載されているように、吸い込んだ室内の空気に含まれる水分を凝縮して、乾燥した空気を吹出口から室内に送出する。凝縮された水は、タンクに回収される。吹出口には、回動可能なルーバが設けられ、吹出口を開閉するとともに、風向きを可変する。ルーバは、モータによって水平軸周りに回動される。
【０００３】
除湿機では、洗濯物の乾燥、窓の結露防止といった使用目的に応じて、決められた角度だけルーバをスイングさせて、広範囲に乾燥空気を吹き出したり、任意の角度の位置にルーバを固定して、乾燥空気を集中的に吹き出す運転が行われる。
【特許文献１】特開２００２−２５７４０８号公報
【発明の開示】
【発明が解決しようとする課題】
【０００４】
除湿機では、タンクの貯水具合を検出している。タンクの満水が検知されると、ルーバモータを含む全ての負荷は、直ちに停止される。そして、タンクを取り出し、貯まった水を排出する。
【０００５】
このとき、ルーバがスイング中であったり、あるいは任意の位置に固定されている場合、ルーバモータが停止すると、その位置でルーバは停止した状態となる。ルーバの停止位置によっては、吹出口が開いた状態のままになるおそれがある。
【０００６】
吹出口がルーバによって閉じられていないと、吹出口から異物や埃が侵入して、運転機能の低下の原因となる。また、タンクが取り出されて、運転停止状態であるにもかかわらず、ルーバが閉じていないため、運転中であると勘違いを引き起こすおそれがある。
【０００７】
本発明は、上記に鑑み、タンクが満水になったとき、吹出口からの異物の侵入を防止し、運転が停止していることを知らしめることができる除湿機の提供を目的とする。
【課題を解決するための手段】
【０００８】
本発明は、吸い込んだ空気中の水分を蒸発器で凝縮し、結露した水を回収するタンクと、乾燥した空気を吹き出す吹出口と、該吹出口を開いた開位置と前記吹出口を閉じた閉位置との間で開閉自在にとされ風向きを調節するルーバと、前記タンクが満水になったことを検出する満水検出器と、前記タンクの満水が検知されたとき、除湿運転を停止し、強制的に前記ルーバを閉位置にする制御装置とを備えたものである。
【０００９】
満水検知時に、ルーバ以外の運転を停止する。ルーバが停止状態にある場合、ルーバを作動させて閉位置にする。すなわち、ルーバが開位置にあれば、ルーバが閉位置に戻るようにルーバの作動が制御される。閉位置になると、ルーバの運転も停止する。したがって、タンクが満水になったとき、吹出口は自動的に閉じられる。
【００１０】
制御装置は、タンクの水が排出されたとき、ルーバを運転停止前の状態に復帰させる。あるいは、運転停止前の運転モードを実行する。ルーバをスイングさせるスイングモードと、ルーバを任意の位置に固定した固定モードとが選択可能とされる。タンクの水が排出された後、運転停止前にスイングモードであったときには、ルーバをスイングさせる。固定モードであったときには、ルーバを元の位置に戻す。すなわち、満水を解消した後の運転再開時には、運転停止前の状態に復帰して、運転モードが実行される。
【００１１】
このように、満水検知時には、ルーバ以外の負荷が全て停止されるので、これ以上タンクに水が溜まらない。その後、ルーバだけを作動して、吹出口を閉じてから、全ての運転を停止する。したがって、タンクの排水作業中に、吹出口から異物や埃が侵入することはない。この作業が終了すると、ルーバを含む全ての負荷が作動される。このとき、停止前の運転が続行される。
【発明の効果】
【００１２】
本発明によると、タンクが満水になったとき、ルーバを閉じて吹出口を自動的に塞ぐことにより、運転停止時に異物や埃が吹出口から侵入することを防止できる。そして、吹出口が閉じていることを視覚的に認識できるので、運転が停止していることをはっきりと知らしめることができ、意匠性も向上する。しかも、タンクの排水を行うための作業中に、ルーバが開いていると、誤ってルーバを損傷するおそれがあるが、ルーバは閉じているので、このようなことは起こり得ない。
【発明を実施するための最良の形態】
【００１３】
本実施形態の除湿機を図１に示す。本体ケース１に、圧縮機２、蒸発器３、凝縮器４、送風機５が内装され、これらによって冷凍サイクルが構成される。蒸発器３、凝縮器４、送風機５の下方に、凝縮水を集めるドレンパン６が配され、ドレンパン６の下方に、凝縮水を回収するタンク７が配されている。タンク７は、本体ケース１に着脱自在に装着される。
【００１４】
本体ケース１の後面に、吸込口８が形成され、吸込口８と蒸発器３との間に、フィルタ９が着脱自在に設けられている。本体ケース１の上面に、吹出口１０が形成され、さらに後方に向かって吹き出す後面吹出口１１が形成されている。吹出口１０には、ルーバ１２が回動可能に取り付けられている。送風機５の上方で吹出口１０の近傍に、放電によりプラスイオンとマイナスイオンを発生するイオン発生装置１３が配されている。図中、１４は持ち運び用のハンドルである。
【００１５】
送風機５により、吸込口８から室内の空気が吸い込まれ、吸い込まれた空気は、蒸発器３で冷却される。空気中の水分が凝縮され、吸い込まれた空気が除湿される。凝縮した水分は、滴下してドレンタンク６に集められ、タンク７に回収される。乾燥した空気は、凝縮器４で加熱され、吹出口１０から室内に放出され、室内が除湿される。
【００１６】
ルーバ１２は、図２、３、４に示すように、一対の縦風向板２０、２１と複数の横風向板２２とが一体的に連結されて構成される。縦風向板２０に設けられた水平軸が吹出口１０の側壁に回転自在に支持される。水平軸にルーバモータ２３が連結される。ステッピングモータからなるルーバモータ２３は、マイクロコンピュータからなる制御装置２４によって駆動制御される。ルーバモータ２３の駆動により、ルーバ１２は、図２に示すように吹出口１０を閉じた閉位置と図３に示すように開いた開位置との間を回動する。
【００１７】
そして、ルーバ１２をスイングさせるスイングモードとルーバ１２を任意の位置に固定する固定モードとを選択するためのスイングボタン２５が設けられ、制御装置２４は、選択されたモードに応じてルーバモータ２３の駆動を制御する。スイングモードでは、所定の角度だけルーバ１２が回動される。例えば、閉位置と開位置との間でのフルスイング、上向きで一定角度だけの上向きスイング、後方に向いて一定角度だけの後方スイングといった各スイングが、スイングボタン２５により選択可能とされる。固定モードでは、スイング中にルーバ１２を停止させたときの角度に保持される。この任意の位置は、スイングボタン２５によって設定できる。
【００１８】
そして、タンク７が満水になったことを検出する満水検出器２６が設けられ、制御装置２４は、タンク７の満水を検知したとき、運転を停止するように、ルーバモータ２３、送風機５、圧縮機２、イオン発生装置１３を制御する。満水検出器２６は、タンク７の重量を検出する重さセンサ、上下動可能に支持されたタンク７の下降量を検出する位置センサ、タンク７の水位を検出する水位センサといった公知の検出器とされる。なお、２７はルーバ１２の位置を検出する位置センサ、マイクロスイッチ等のルーバ位置検出器である。
【００１９】
タンク７の満水が検知されると、制御装置２４は、ルーバモータ２３と、これ以外の送風機５、圧縮機２、イオン発生装置１３等の他の負荷とをそれぞれ制御する。すなわち、他の負荷への出力を即座にオフし、これらの運転を停止する。ルーバモータ２３への出力をオンし続け、ルーバ１２を閉位置にするようにルーバ１２を回動させ、その後ルーバモータ２３への出力をオフする。このとき、満水が検知されたときのルーバ１２の位置、運転のモード等を不揮発性のメモリに記憶しておき、タンク７を排水した後の運転再開時に、メモリから運転の情報を呼び出して、停止前の運転を実行する。
【００２０】
次に、ルーバ１２がスイングしているスイングモードの場合における上記の制御装置２４による制御動作を図５に基づいて説明する。運転時には、ルーバモータ２３と他の負荷を作動する（ＳＴＥＰ１）。ＳＴＥＰ２において、満水検知器２６によりタンク７が満水か否かを判断する。満水でない場合、ＳＴＥＰ1に戻る。満水の場合、ＳＴＥＰ３において、負荷出力をオフして、動作を停止させる。位置検出器２７の出力よりルーバ１２が閉位置にあるか判断する。
【００２１】
閉位置になければ、そのままルーバモータ２３を作動させ、閉位置になると、直ちにルーバモータ２３を停止する。なお、位置検出器２７を備えていない場合には、ルーバ１２が閉位置となるように、十分な角度、回動するようにルーバモータ２３を作動する。例えば、開位置の角度が１００度であれば、ルーバ１２を１０５度〜１１０度回動させる。その後、ルーバモータ２３を停止する。これによって、吹出口１０は閉じられる。
【００２２】
ＳＴＥＰ４において、タンク７内の水を排出し、本体ケース１にタンク７が設置された（以下、満水復帰）かを判断する。タンク７の設置は、マイクロスイッチ等によってタンクの有無を直接検出する。あるいは重さセンサ、位置センサを使用した満水検出器２６を利用してもよい。満水復帰である場合、ＳＴＥＰ１に戻る。元のモードで運転が再開される。
【００２３】
運転中、満水になる前に運転切ボタンが押されると、ＳＴＥＰ５になる。ＳＴＥＰ５において、ＳＴＥＰ３と同様に負荷出力をオフし、ルーバ１２が閉位置にあるか判断する。閉位置になければ、そのままルーバモータ２３を作動させ、閉位置になると、直ちにルーバモータ２３を停止する。また、満水検知後、ＳＴＥＰ４において、運転切ボタンが押されると、運転停止となる。この場合でも、吹出口１０は閉じられている。
【００２４】
ルーバ１２が任意の位置で固定されている固定モードの場合には、図６に示すように、ＳＴＥＰ１において、ルーバモータ２３を作動させ、ＳＴＥＰ２において、負荷出力をオンする。ＳＴＥＰ３において、満水検出器２６により満水か否かを判断する。満水でない場合、ＳＴＥＰ４になり、ルーバ１２が目標到達位置にあるかどうかを判断する。目標到達位置にない場合はＳＴＥＰ１に戻り、目標到達位置にある場合、ＳＴＥＰ５になる。ＳＴＥＰ５において、ルーバモータ２３を停止させ、ＳＴＥＰ２になる。ルーバ１２は、設定された位置に固定される。
【００２５】
ＳＴＥＰ３において満水と判断された場合、ＳＴＥＰ６になる。ＳＴＥＰ６において、ルーバモータ２３を作動させ、負荷出力をオフする。ルーバ１２が閉位置になると、直ちにルーバモータ２３を停止する。これによって、吹出口１０は閉じられる。
【００２６】
タンク７の排水後、ＳＴＥＰ７において、満水復帰かどうかを判断する。満水復帰である場合、ルーバモータ２３、負荷出力をオンする。ＳＴＥＰ８において、ルーバ１２が満水復帰前の元の位置にあるかを判断する。満水復帰前の位置になければ、ルーバモータ２３をそのまま作動させる。満水復帰前の位置になると、直ちにルーバモータ２３を停止させ、ＳＴＥＰ２以降の運転中の動作に戻る。元のモードで運転が再開される。
【００２７】
運転中に運転切ボタンが押されると、ＳＴＥＰ９になる。ＳＴＥＰ９において、ルーバモータ２３を作動させ、負荷出力をオフして、ルーバ１２が閉位置にあるか判断する。閉位置になければ、そのままルーバモータ２３を作動させる。閉位置にあると、直ちにルーバモータ２３を停止する。また、ＳＴＥＰ７において、運転切ボタンが押されると、運転停止となる。
【００２８】
以上のように、運転中にタンク７が満水になったとき、ルーバ１２の状態にかかわらず自動的に吹出口１０が閉じられる。そのため、排水のために運転が一時停止中に、ルーバ１２の隙間から異物や埃が本体ケース１に侵入することはない。また、吹出口１０が閉じているので、運転が停止していることを認識できる。
【００２９】
なお、本発明は、上記実施形態に限定されるものではなく、本発明の範囲内で上記実施形態に多くの修正および変更を加え得ることは勿論である。除湿機は、除湿機能を有した空気調和機であってもよい。
【００３０】
本実施形態のルーバは、モータ等の駆動装置によって自動的に開閉されるが、手動によって開閉されるルーバを備えた除湿機において、タンクの満水が検知されたとき、吹出口を閉じて運転を停止する閉鎖手段を設けてもよい。閉鎖手段としては、開いた位置にあるルーバを覆うようなドームを本体ケースに出没自在に設け、モータ等の駆動装置によって出没させる。満水検知時にドームを本体ケースから突出させると、ドームは、ルーバを覆い、吹出口を外部に露出しないように隠す。その後、運転を停止する。このドームに、タンク満水といったような表示をしておくことにより、一目見て現在の状況を知らせることができる。
【図面の簡単な説明】
【００３１】
【図１】本発明の除湿機内部の概略構成図
【図２】閉位置にあるルーバを示す図
【図３】開位置にあるルーバを示す図
【図４】除湿機の制御ブロック図
【図５】スイングモード時に満水検知したときのフローチャート
【図６】固定モード時に満水検知したときのフローチャート
【符号の説明】
【００３２】
１    本体ケース
７    タンク
１０    吹出口
１２    ルーバ
２３    ルーバモータ
２４    制御装置
２６    満水検出器
【図１】
2005238056.tif 000003
【図２】
2005238056.tif 000004
【図３】
2005238056.tif 000005
【図４】
2005238056.tif 000006
【図５】
2005238056.tif 000007
【図６】
2005238056.tif 000008